(57)【要約】【課題】小型の振動発生装置で指先を効率的に振動させることができるようにする。【解決手段】本発明のハンドマッサージ機１は、左右一対のマッサージ機本体２と、該両マッサージ機本体２のコントロール装置３とを備えている。各マッサージ機本体２は、振動を発生する振動発生装置７，７，８と、該振動発生装置を手のひらの指の付け根付近に装着する手袋９とを備えている。手袋９は、柔軟性を有する材料により、手を覆う袋状に形成されている。手袋９の手のひら側における指の付け根付近は二重構造になっており、そこに各振動発生装置７，７，８が支持されている。手袋９は柔軟性を有しているので、手に装着すると手に密着し、各振動発生装置７，７，８を手のひらに圧接するようになっている。【選択図】　　　図１
2004097453.tif 000002
【特許請求の範囲】
【請求項１】
振動を発生する振動発生装置と、該振動発生装置を手のひらの指の付け根付近に装着する装着手段とを備えたハンドマッサージ機。
【請求項２】
前記装着手段は、少なくとも手のひらの指の付け根付近を覆うように形成された手袋であり、
該手袋は、前記振動発生装置を手のひらの指の付け根付近に支持する支持手段と、該振動発生装置を手のひらに圧接する圧接手段とを備えた請求項１記載のハンドマッサージ機。
【請求項３】
前記装着手段は、少なくとも手のひらの指の付け根付近に巻き付けるように形成されたバンドであり、
該バンドは、前記振動発生装置を支持する支持手段と、該振動発生装置を手のひらの指の付け根付近に位置決めするための指挿通穴と、該振動発生装置を手のひらに圧接する圧接手段とを備えた請求項１記載のハンドマッサージ機。
【発明の詳細な説明】
【０００１】
【発明の属する技術分野】
本発明は、指先を振動させるための振動を発生する振動発生装置を備えたハンドマッサージ機に関するものである。
【０００２】
【従来の技術】
従来のハンドマッサージ機としては、例えば特許文献１に開示されたものが挙げられる。このハンドマッサージ機は、柔軟性を有する手袋に振動を発生するバイブレーション装置を設けている。そして、バイブレーション装置を手の甲側にした状態で、指先をマッサージしたい部位に当てることにより、手を介してバイブレーション装置の振動を前記部位に間接的に伝えることができるようになっている。
【０００３】
【特許文献１】
特開平９−１０３４５８号公報
【０００４】
【発明が解決しようとする課題】
ところが、バイブレーション装置で手の甲に振動を加えることにより、十分なマッサージ効果を奏する程度に指先を振動させようとすると、手全体を振動させる必要があり、手の甲に強力な振動を加える必要がある。このため、バイブレーション装置が大型化するとともに、重量も増大し、取扱しづらくなるという問題がある。また、この強力な振動により、使用者に不快感を与えるという問題もある。
【０００５】
本発明の目的は、上記課題を解決し、小型の振動発生装置で指先を効率的に振動させることができるハンドマッサージ機を提供することにある。
【０００６】
【課題を解決するための手段】
上記目的を達成するために、本発明のハンドマッサージ機は、振動を発生する振動発生装置と、該振動発生装置を手のひらの指の付け根付近に装着する装着手段とを備えている。
【０００７】
この構成によれば、振動発生装置による振動が、（イ）手のひらの指の付け根付近にある、指の関節を折り曲げさせるための筋肉を振動させるように作用するとともに、（ロ）手のひらの指の付け根付近の骨を振動させるように作用する。従って、指先を効率的に振動させることができる。
【０００８】
前記装着手段としては、特に限定されないが、次の態様を例示する。
（１）少なくとも手のひらの指の付け根付近を覆うように形成された手袋であり、該手袋は、前記振動発生装置を手のひらの指の付け根付近に支持する支持手段と、該振動発生装置を手のひらに圧接する圧接手段とを備えた態様。
（２）少なくとも手のひらの指の付け根付近に巻き付けるように形成されたバンドであり、該バンドは、前記振動発生装置を支持する支持手段と、該振動発生装置を手のひらの指の付け根付近に位置決めするための指挿通穴と、該振動発生装置を手のひらに圧接する圧接手段とを備えた態様。
【０００９】
前記バンドとしては、特に限定されないが、柔軟性を有する材質でループ状に形成された態様や、巻き付けサイズを調節可能に帯状に形成された態様を例示する。
【００１０】
【発明の実施の形態】
図１〜図６は本発明を具体化した第一実施形態のハンドマッサージ機１を示している。このハンドマッサージ機１は、図１に示すように左右一対のマッサージ機本体２と、該両マッサージ機本体２のコントロール装置３とを備えている。なお、左右のマッサージ機本体２は、左右対称に構成されている点において相違しているだけなので、以下、左手用のマッサージ機本体２についてのみ説明する。
【００１１】
マッサージ機本体２は、図１〜図５に示すように３つの振動発生装置７，７，８と、該各振動発生装置を手のひらの指の付け根付近に装着する装着手段としての手袋９とを備えている。
【００１２】
人差し指及び中指の付け根付近と、薬指及び小指の付け根付近とに装着される振動発生装置７は、図４に示すように略卵型に形成された振動発生装置本体１１と、該振動発生装置本体１１の表面を覆う弾性材料（例えばシリコン樹脂等の軟質樹脂）からなるカバー層１２とを備えている。この振動発生装置７は、手に圧接されると、図３に示すようにカバー層１２が変形し、手の表面に密着するようになっている。振動発生装置本体１１は、略卵型に形成されたケース１３と、該ケース１３内に内蔵されたモータ１４と、該モータ１４の回転軸１４ａに取着されたアンバランスウェイト１５とを備えている。そして、モータ１４を駆動すると、その回転軸１４ａを介してアンバランスウェイト１５が回転し、振動が発生するようになっている。なお、振動発生装置本体１１の構成としては、アンバランスウェイト１５の重量をできるだけ重くし、モータ１４の回転数を小さめにすることが好ましく、アンバランスウェイト１５を鉛製にするとともに、モータ１４の回転速度を１２００〜１５００ｒｐｍとすることを例示する。また、振動発生装置７，７，８は、手のひらからの突出高さが低くなるように、できるだけ薄く構成することが好ましい。
【００１３】
親指の付け根付近に装着される振動発生装置８は、図５に示すように振動発生装置本体１１と、該振動発生装置本体１１の手のひらと反対側に取り付けられた略円錐状の凸部１８とを備えている。この凸部１８は、つぼ押し用のもので、少し硬めの弾性材料（例えばゴムや軟質樹脂）からなっている。
【００１４】
手袋９は、柔軟性を有する材料（例えば、塩化ビニル等の合成樹脂、布、皮革）により、手を覆う袋状に形成されている。特に限定されないが、手袋９の表面は抗菌加工を施すことが好ましい。手袋９の一端側には手を挿入する手挿入口９ａが形成され、他端側には親指以外の４本の指をそれぞれ挿入する４つの指挿入口９ｂが形成され、側部には親指を挿入する親指挿入口９ｃが形成されている。手袋９の手のひら側には、人差し指及び中指の付け根付近と、薬指及び小指の付け根付近と、親指の付け根付近とには、手袋９と同様の材質からなるシート片１０がそれぞれ縫いつけられることによって二重構造になっており、それぞれの中に振動発生装置７，７，８が支持されている（支持手段）。手袋９は柔軟性を有しているので、手に装着すると手に密着し、各振動発生装置７，７，８を手のひらに圧接するようになっている（圧接手段）。
【００１５】
コントロール装置３は、図６に示すようにケース２０と、ケース２０に内蔵され、振動発生装置７，７，８の電源としての電池２１（例えばボタン電池）と、ケース２０表面に配設され、該電源を入切するための電源スイッチ２２とを備えるとともに、電源スイッチ２２をＯＮしてから一定時間（例えば１５〜２０分）で自動的にＯＦＦにする制御手段（図示略）を内蔵している。電池２１はケース２０に着脱可能に設けられた電池カバー２０ａを取り外せば交換することできるようになっている。本例のコントロール装置３は、左手用のマッサージ機本体２に接続された電源ケーブル２３が着脱不可能に取り付けられ、右手用のマッサージ機本体２に接続された電源ケーブル２３がコネクタ２４により着脱可能に構成されている。このため、右手用のマッサージ機本体２を取り外しておき、左手用のマッサージ機本体２のみを使用することができるようになっている。なお、これは例示であって、左右を逆にして左手用のマッサージ機本体２をコネクタ２４により着脱可能に構成したり、両側の電源ケーブル２３をともに着脱可能又は着脱不可能に構成することもできる。同図（ｂ）に示すようにケース２０の側面の全周には、電源ケーブル２３を巻き付けるための凹溝２０ｂが設けられている。また、ケース２０の裏面側には、コントロール装置３を例えば衣服に係止するためのクリップ部２０ｃが設けられている。
【００１６】
次に、このように構成されたハンドマッサージ機１の使用方法について説明する。まず、一対のマッサージ機本体２を左右の手にそれぞれ装着する。次いで、右手用の電源ケーブル２３のコネクタ２４をコントロール装置３に接続する。次いで、電源スイッチ２２をＯＮにすると、各振動発生装置７，７，８が作動し振動を発生する。すると、その振動が図３に示すように各指の指先に伝わるので、指をマッサージしたい部位に当てると、指の振動がその部位に伝わり、マッサージを行うことができる。また、振動発生装置８の凸部１８をマッサージしたい部位に押し当てることによりマッサージを行うこともできる。マッサージする部位としては、指でマッサージ可能な部位であれば体のどの部位でもよく、特に限定されないが、例えば、図１３に示すように、頭部Ｐａ、眉間付近Ｐｂ、目尻付近Ｐｃ、顎の下側付近Ｐｄ、首の後側付近Ｐｅ、肩付近Ｐｆ等の部位が挙げられる。
【００１７】
以上のように構成された本発明のハンドマッサージ機１によれば、振動発生装置７，７，８を手のひらの指の付け根付近に装着しているので、振動発生装置７，７，８による振動が、（イ）手のひらの指の付け根付近にある、指の関節を折り曲げさせるための筋肉を振動させるように作用するとともに、（ロ）手のひらの指の付け根付近の骨を振動させるように作用する。従って、指先を効率的に振動させることができる。
【００１８】
次に、図７〜図１０は本発明を具体化した第二実施形態のハンドマッサージ機５０を示している。本実施形態のハンドマッサージ機５０は、以下の点において主に第一実施形態と相違している。従って、第一実施形態と共通する部分については同実施形態と同一符号を付することにより重複説明を省く。
【００１９】
本例のハンドマッサージ機５０は、人差し指及び中指の付け根付近に配設される振動発生装置５１（以下、「人差し指側振動発生装置５１」という。）と、親指の付け根付近に配設される振動発生装置５１（以下、「親指側振動発生装置５１」という。）とを備えている。本例では、各振動発生装置５１は第一実施形態の振動発生装置本体１１と同様に構成されているが、振動発生装置本体の表面を覆うカバー層１２は設けられていない。
【００２０】
本例の装着手段は、手のひらの指の付け根付近に巻き付けるように形成されたバンド５３となっている。このバンド５３は、両振動発生装置５１を支持する支持部５５と、両振動発生装置５１を手のひらの指の付け根付近に位置決めするための位置決め部５６と、両振動発生装置５１を手のひらに圧接するための圧接バンド部５７とを備えている。
【００２１】
支持部５５は、両振動発生装置５１を手のひら側及びその反対側から挾持する一対の支持体６０を備えている。支持体６０は、両振動発生装置５１を配設するための第一穴６０ａ及び第二穴６０ｂを有し、該各穴６０ａ，６０ｂには振動発生装置５１を支持するためのシート片６１が縫いつけられている。支持体６０としては、特に限定されないが、薄くて硬く丈夫な素材で形成することが好ましい。薄い方が好ましいのは、手の表面からの出っ張りが小さい方が外観が良いからであり、硬い方が好ましいのは、振動発生装置が発する振動を効率的に手に伝達するからであり、丈夫な方が好ましいのは耐久性に配慮しているからである。本例では支持体６０を厚さ０．５〜１ｍｍの硬めの皮革で形成している。
【００２２】
位置決め部５６は、人差し指側振動発生装置５１を位置決めするための第一位置決め要素６２と、親指側振動発生装置５１を位置決めするための第二位置決め要素６３とを備えている。第一位置決め要素６２は人差し指及び中指を挿通するための２つの挿通穴６２ａ，６２ｂを有しており、支持体６０の第一穴６０ａの上縁側に縫いつけられるようになっている。第二位置決め要素６３は親指を挿通するための挿通穴６３ａを有しており、支持体６０の第二穴６０ｂの側縁側に縫いつけられるようになっている。
【００２３】
圧接バンド部５７は、主に人差し指側振動発生装置５１を手のひらに圧接するための第一バンド体６５と、主に親指側振動発生装置５１を手のひらに圧接するための第二バンド体６６とを備えている。第一バンド体６５の基端側は、支持体６０の第一穴６０ａにおける反第一位置決め要素側に縫いつけられている。第一バンド体６５の先端側は二手に分岐されており、各先端部６７ａ，６７ｂには面ファスナーのフック面６８が配設されている。第一バンド体６５及び第二バンド体６６の表面は、面ファスナーのフック面６８が結合するループ面となっており、図１０に示すように第一バンド体６５を手のひらに巻き付けることにより主に人差し指側振動発生装置５１を手のひらに圧接させた状態で、上側の先端部６７ａのフック面６８を第一バンド体６５の表面にくっつけるとともに、下側の先端部６７ｂのフック面６８を第二バンド体６６の表面にくっつけることができるようになっている。これと同様に、第二バンド体６６の先端部にも面ファスナーのフック面６８が配設されており、図１０に示すように第二バンド体６６を手首に巻き付けることにより主に親指側振動発生装置５１を手のひらに圧接させた状態で、先端部を第二バンド体６６の表面にくっつけることができるようになっている。
【００２４】
本実施形態のハンドマッサージ機５０によっても、第一実施形態と同様の効果を得ることができる。
【００２５】
次に、図１１は本発明を具体化した第三実施形態のハンドマッサージ機８０を示している。本実施形態のハンドマッサージ機８０は、位置決め部５６の第一位置決め要素６２に代えて、人差し指及び中指の両方を挿通するための１つの挿通穴８１ａを有する位置決め要素８１を採用している点と、圧接バンド部５７の第一バンド体６５に代えて、伸縮可能な性質を備えた素材により形成されたループ状のバンド体８２を採用している点とにおいて主に第二実施形態と相違している。本実施形態のハンドマッサージ機８０によっても、第一実施形態と同様の効果を得ることができる。
【００２６】
次に、図１２は本発明を具体化した第四実施形態のハンドマッサージ機９０を示している。本実施形態のハンドマッサージ機９０は、第二実施形態の位置決め部５６と圧接バンド部５７とに代えて、手袋９１を採用するとともに、該手袋９１に支持部５５を縫いつけた点と、支持部５５の支持体６０が各振動発生装置５１ごとに独立している点において主に第二実施形態と相違している。手袋９１は、例えば第一実施形態と同様に形成することができる。本実施形態のハンドマッサージ機９０によっても、第一実施形態と同様の効果を得ることができる。
【００２７】
なお、本発明は前記実施形態に限定されるものではなく、例えば以下のように、発明の趣旨から逸脱しない範囲で適宜変更して具体化することもできる。
（１）各実施形態において、振動発生装置が手の甲側にくるようにマッサージ機本体を手に装着すること。例えば、各実施形態において、左手用及び右手用のマッサージ機本体をそれぞれ逆側の手に装着することを例示する。
（２）第一実施形態及び第四実施形態において、手袋が指先をも覆うように形成すること。さらに、その指先部分につぼ押し用の凸部を配設すること。
（３）コントロール装置３を次のように変更すること。
（３−１）振動発生装置へ供給する電源電圧を調節する手段を設け、該振動発生装置のモータの回転数を調節可能にすることにより、振動の周期を調節可能に構成すること。
（３−２）電源を交流電源や充電式電池等の他の電源に変更すること。
（３−３）左右のマッサージ機本体ごとに別々に設けること。
（３−４）手袋に配設（例えば、手のひら側又は手の甲側に配設）すること。
（３−４）電源ケーブル２３をケース２０内に巻き取るように構成すること。
【００２８】
【発明の効果】
本発明に係るハンドマッサージ機によれば、小型の振動発生装置で指先を効率的に振動させることができるという優れた効果を奏する。
【図面の簡単な説明】
【図１】本発明の第一実施形態に係るハンドマッサージ機の構成図である。
【図２】同ハンドマッサージ機の振動発生装置の配設部位を示す図である。
【図３】図２のＩＩＩ−ＩＩＩ線断面図である。
【図４】同ハンドマッサージ機の振動発生装置の構造を示す断面図であり、（ａ）は（ｂ）のａ−ａ線断面図、（ｂ）は（ａ）のｂ−ｂ線断面図である。
【図５】図２のＶ−Ｖ線断面図である。
【図６】同ハンドマッサージ機のコントロール装置を示す図であり、（ａ）は正面図、（ｂ）は側面図である。
【図７】本発明の第二実施形態に係るハンドマッサージ機の構成図である。
【図８】同ハンドマッサージ機の分解図である。
【図９】図８のＩＸ−ＩＸ線断面図である。
【図１０】同ハンドマッサージ機の装着状態を示す図であり、（ａ）は手のひら側を示す図、（ｂ）は手の甲側を示す図である。
【図１１】本発明の第三実施形態に係るハンドマッサージ機の構成図であり、（ａ）は手のひら側を示す図、（ｂ）は手の甲側を示す図である。
【図１２】本発明の第四実施形態に係るハンドマッサージ機の構成図であり、（ａ）は手のひら側を示す図、（ｂ）は手の甲側を示す図である。
【図１３】本発明のハンドマッサージ機によるマッサージの対象となる部位の例を示す図である。
【符号の説明】
１　　ハンドマッサージ機
２　　マッサージ機本体
３　　コントロール装置
７　　振動発生装置
８　　振動発生装置
９　　手袋
５０　　ハンドマッサージ機
５１　　振動発生装置
５３　　バンド
５５　　支持部
５６　　位置決め部
５７　　圧接バンド部
６２　　第一位置決め要素
６２ａ　挿通穴
６２ｂ　挿通穴
６３　　第二位置決め要素
６３ａ　挿通穴
８０　　ハンドマッサージ機
８１　　位置決め要素
８１ａ　挿通穴
８２　　バンド体
９０　　ハンドマッサージ機
９１　　手袋
【図１】
2004097453.tif 000003
【図２】
2004097453.tif 000004
【図３】
2004097453.tif 000005
【図４】
2004097453.tif 000006
【図５】
2004097453.tif 000007
【図６】
2004097453.tif 000008
【図７】
2004097453.tif 000009
【図８】
2004097453.tif 000010
【図９】
2004097453.tif 000011
【図１０】
2004097453.tif 000012
【図１１】
2004097453.tif 000013
【図１２】
2004097453.tif 000014
【図１３】
2004097453.tif 000015